(57)【要約】【課題】熱交換器の側板部に対する伝熱管のロウ付けを、簡易な手段によって適切に、かつ強固に行なうことが可能な熱交換器の製造方法を提供する。【解決手段】熱交換器中間品Ａａは、側板部１１の貫通孔１２に連通する凹状の切欠部１３が、側板部１１に貫通して設けられた構成としておき、伝熱管２の外周面を貫通孔１２の周縁部にロウ付けするロウ付け工程においては、側板部１１の外面側領域Ｓａおよび内面側領域Ｓｂの一方にロウ材３’を設定した状態でこのロウ材３’を加熱し、この加熱により溶融した溶融ロウ材３”の一部を、切欠部１３を介して側板部１１の外面側領域Ｓａおよび内面側領域Ｓｂの他方に流れさせる。【選択図】  図６
2019116985.tif 000002
【特許請求の範囲】
【請求項１】
側板部を含むケースと、このケース内に収容され、かつ前記側板部に設けられた貫通孔に挿通されて一部が前記側板部の外方に引き出された伝熱管と、を備えている熱交換器中間品を準備し、
この熱交換器中間品のうち、前記伝熱管の外周面を前記貫通孔の周縁部にロウ付けするロウ付け工程を有している、熱交換器の製造方法であって、
前記熱交換器中間品は、前記貫通孔に連通する凹状の切欠部が、前記側板部に貫通して設けられた構成としておき、
前記ロウ付け工程においては、前記側板部の外面側領域および内面側領域の一方にロウ材を設定した状態でこのロウ材を加熱し、この加熱により溶融した溶融ロウ材の一部を、前記切欠部を介して前記側板部の外面側領域および内面側領域の他方に流れさせることを特徴とする、熱交換器の製造方法。
【請求項２】
請求項１に記載の熱交換器の製造方法であって、
前記側板部の線膨張係数は、前記伝熱管の線膨張係数以下である、熱交換器の製造方法。
【請求項３】
請求項１または２に記載の熱交換器の製造方法であって、
前記切欠部は、前記貫通孔に対して１つのみ設けておき、
前記ロウ付け工程においては、ペースト状の前記ロウ材を前記切欠部の形成箇所に塗布し、かつ前記ロウ材の加熱溶融時には、前記切欠部を前記伝熱管の上側に配置させておく、熱交換器の製造方法。
【請求項４】
請求項１ないし３のいずれかに記載の熱交換器の製造方法であって、
前記切欠部は、前記ロウ材の加熱溶融時において、前記切欠部の内側に溶融ロウ材の一部を隙間なく満たすことが可能なサイズである、熱交換器の製造方法。
【請求項５】
請求項１ないし４のいずれかに記載の熱交換器の製造方法であって、
前記熱交換器中間品は、前記貫通孔、前記伝熱管、および前記切欠部として、複数の貫通孔、複数の伝熱管、および複数の切欠部を備えており、
前記複数の貫通孔のそれぞれにおける前記複数の切欠部の個々の配置は、同一の配置に揃えられており、
前記ロウ付け工程において、前記ロウ材を加熱溶融させるときには、前記複数の切欠部を前記複数の伝熱管の上側に位置する状態に設定しておく、熱交換器の製造方法。
【請求項６】
請求項１ないし５のいずれかに記載の熱交換器の製造方法であって、
前記側板部および前記伝熱管は、ともにフェライト系ステンレス製である、熱交換器の製造方法。
【請求項７】
請求項６に記載の熱交換器の製造方法であって、
前記伝熱管の外径は、６〜２０ｍｍ、前記側板部の厚みは、０．５〜１．０ｍｍ、前記貫通孔の内径は、前記伝熱管の外径と同一寸法であり、
前記切欠部の高さは、０．１８〜０．７０ｍｍ、前記切欠部の幅は、１．００〜１．７０ｍｍである、熱交換器の製造方法。
【請求項８】
側板部を含むケースと、
このケース内に収容され、かつ前記側板部に設けられた貫通孔に挿通されて一部が前記側板部の外方に引き出されている伝熱管と、
を備えている、熱交換器中間品であって、
前記貫通孔に連通する凹状に形成されて前記側板部に貫通して設けられており、かつ前記伝熱管の外周面を前記貫通孔の周縁部にロウ付けするときに、溶融ロウ材の一部を前記側板部の外面側領域および内面側領域の一方から他方に向けて流れさせるための切欠部を、さらに備えていることを特徴とする、熱交換器中間品。
【請求項９】
側板部を含むケースと、
このケース内に収容され、かつ前記側板部に設けられた貫通孔に挿通されて一部が前記側板部の外方に引き出されている伝熱管と、
この伝熱管の外周面を前記貫通孔の周縁部にロウ付けしている固化状態のロウ材と、
を備えている、熱交換器であって、
前記貫通孔に連通する凹状に形成されて前記側板部に貫通して設けられた切欠部を、さらに備えており、
前記ロウ材は、その一部が前記切欠部内に進入しており、かつこの進入部分を介して前記側板部の外面側領域および内面側領域の双方に跨がった分布に設けられていることを特徴とする、熱交換器。
【請求項１０】
請求項９に記載の熱交換器であって、
前記固化状態のロウ材により前記切欠部は塞がっている、熱交換器。
【請求項１１】
請求項９または１０に記載の熱交換器であって、
前記側板部および前記伝熱管は、ともにフェライト系ステンレス製である、熱交換器。
【発明の詳細な説明】
【技術分野】
【０００１】
本発明は、ガス給湯装置あるいはオイル給湯装置などの温水装置用の熱交換器として用いるのに好適な熱交換器に関連する技術に関する。
【背景技術】
【０００２】
給湯装置に用いられる熱交換器は、燃焼ガスなどの加熱用気体が内部に供給されるケース内に伝熱管を収容し、かつこの伝熱管の一部をケースの側板部に設けられた貫通孔を介してケースの外方に引き出された構成とされているのが通例である。ここで、伝熱管の外周面と貫通孔の内周面との間に隙間があると、加熱用気体の外部への漏出が生じるため、これを防止する手段として、伝熱管の外周面を貫通孔の周縁部にロウ付けする手段がよく用いられている。ロウ付け前には、伝熱管を拡管し、その外周面を側板部の貫通孔の内周面に圧接させて、仮固定を図る手段もよく用いられる。
【０００３】
しかしながら、前記従来技術においては、次のように改善すべき余地があった。
【０００４】
熱交換器の伝熱管のロウ付け強度は、高くすることが望ましい。とくに、伝熱管に接続される配管経路において、ウォータハンマが発生する虞がある場合には、ウォータハンマに対する耐衝撃性をもたせる必要がある。ここで、伝熱管のロウ付け強度を高める上では、ケースの側板部の外面側領域および内面側領域の双方の領域において伝熱管のロウ付けを図ることが好ましい。ただし、伝熱管をケース内に収容させた状態で、ケースの側板部の内面側領域にペースト状のロウ材を塗布することは困難な場合が多く、殆どの場合には、ケースの側板部の外面側領域のみにロウ材を塗布せざるを得ないこととなっている。このため、ケースの側板部の外面側領域および内面側領域の双方において、伝熱管を適切にロウ付けすることができず、ロウ付け強度に不足または不安を生じる場合がある。したがって、この点において改善すべき余地がある。
【０００５】
なお、熱交換器のケースの側板部と伝熱管との材質が相違し、たとえば伝熱管よりも側板部の方が、線膨張係数が大きい場合には、ロウ付けを行なうべくこれらを加熱した際に、側板部に設けられている貫通孔の内径が、伝熱管の外径よりも拡大量が大きくなる。このため、貫通孔の内周面と伝熱管の外周面との間には、隙間を生じさせることができる。したがって、この隙間を利用し、側板部の外面側領域から内面側領域に溶融ロウ材の一部を流れさせ、それら外面側領域および内面側領域の両領域において伝熱管をロウ付けすることは可能である。ただし、前記隙間が不十分な場合には、そのような適切なロウ付けはやはり困難なものとなる。
【０００６】
一方、前記とは異なり、たとえばケースの側板部と伝熱管との材質が同一であって、これらの線膨張係数が同一である場合には、ロウ付け用の加熱時において、貫通孔の内周面と伝熱管の外周面との間に熱膨張差に基づく隙間を生じさせることはできない。したがって、この場合には、側板部の外面側領域に塗布したロウ材を、内面側領域に向けて流れさせることはできず、側板部の外面側領域および内面側領域の両領域において伝熱管をロウ付けすることは、一層困難なものとなる。
【０００７】
熱交換器としては、たとえば全体がステンレス製とされたものがあるが（たとえば、特許文献１を参照）、オーステナイト系のステンレスは、フェライト系ステンレスと比較して高価であるため、ケースの側板部や伝熱管をフェライト系のステンレス製にしたいという要望がある。
ただし、フェライト系のステンレスどうしは、本来的にロウ付け性が悪いことに加え、
側板部および伝熱管の双方を同材質とし、線膨張係数も同一にすると、既述したように、ロウ付け用の加熱時に、貫通孔の内周面と伝熱管の外周面との間に隙間を生じさせることも困難となる。したがって、熱交換器の各所をフェライト系のステンレス製とした場合には、伝熱管のロウ付けを的確に行なう上で、とくに苦慮するものとなっているのが実情である。
【先行技術文献】
【特許文献】
【０００８】
【特許文献１】特許第５７４１９３１号公報
【発明の概要】
【発明が解決しようとする課題】
【０００９】
本発明は、前記したような事情のもとで考え出されたものであり、熱交換器の側板部に対する伝熱管のロウ付けを、簡易な手段によって適切に、かつ強固に行なうことが可能な熱交換器の製造方法、熱交換器中間品、および熱交換器を提供することを、その課題としている。
【課題を解決するための手段】
【００１０】
上記の課題を解決するため、本発明では、次の技術的手段を講じている。
【００１１】
本発明の第１の側面により提供される熱交換器の製造方法は、側板部を含むケースと、このケース内に収容され、かつ前記側板部に設けられた貫通孔に挿通されて一部が前記側板部の外方に引き出された伝熱管と、を備えている熱交換器中間品を準備し、この熱交換器中間品のうち、前記伝熱管の外周面を前記貫通孔の周縁部にロウ付けするロウ付け工程を有している、熱交換器の製造方法であって、前記熱交換器中間品は、前記貫通孔に連通する凹状の切欠部が、前記側板部に貫通して設けられた構成としておき、前記ロウ付け工程においては、前記側板部の外面側領域および内面側領域の一方にロウ材を設定した状態でこのロウ材を加熱し、この加熱により溶融した溶融ロウ材の一部を、前記切欠部を介して前記側板部の外面側領域および内面側領域の他方に流れさせることを特徴としている。
【００１２】
このような構成によれば、次のような効果が得られる。
すなわち、熱交換器中間品におけるケースの側板部の外面側領域および内面側領域のいずれか一方にロウ材を設定しておき、ロウ付け工程において、溶融ロウ材の一部を、切欠部を介して外面側領域および内面側領域の他方に流れさせるため、側板部の外面側領域および内面側領域の双方の領域において、貫通孔の周縁部に伝熱管を適切にロウ付けすることが可能となる。その結果、伝熱管がケースの側板部の外面側領域または内面側領域においてのみロウ付けされる場合と比較すると、伝熱管のロウ付け強度を高めることができる。側板部の外面側領域および内面側領域の双方にロウ材を設定する必要はなく、いずれか一方の領域のみにロウ材を設定すればよいため、ロウ材設定作業の融通性にも優れたものとなる。ロウ材設定作業の容易化、および時間の短縮化などを図ることより、熱交換器の生産性を良好にすることも可能である。
また、本発明によれば、後述するように、側板部の線膨張係数が伝熱管の線膨張係数以下である場合、あるいは伝熱管および側板部の材質が、ともにフェライト系ステンレスである場合などには、とくに有効である。
【００１３】
本発明において、好ましくは、前記側板部の線膨張係数は、前記伝熱管の線膨張係数以下である。
【００１４】
このような構成によれば、次のような効果が得られる。
すなわち、ケースの側板部の線膨張係数が、伝熱管の線膨張係数以下である場合には、
ロウ付け工程の加熱時において、側板部の貫通孔の内周面と伝熱管の外周面との間に、熱膨張差に起因する隙間は生じない。このため、そのような隙間を利用して、溶融ロウ材を側板部の外面側領域および内面側領域の一方から他方に流れさせることはできず、それら両領域において伝熱管のロウ付けを行なうことは本来的に困難である。これに対し、本発明によれば、切欠部を利用して溶融ロウ材を前記両領域の一方から他方に流れさせることにより、前記したロウ付けの困難さを適切に解消することが可能である。
【００１５】
本発明において、好ましくは、前記切欠部は、前記貫通孔に対して１つのみ設けておき、前記ロウ付け工程においては、ペースト状の前記ロウ材を前記切欠部の形成箇所に塗布し、かつ前記ロウ材の加熱溶融時には、前記切欠部を前記伝熱管の上側に配置させておく。
【００１６】
このような構成によれば、溶融ロウ材を、重力を利用して伝熱管の外周面の上側から下側に向けて廻り込ませることができ、伝熱管の外周面の全周を貫通孔の周縁部の全周にロウ付けするのに好ましいものとなる。また、貫通孔に形成される切欠部の数が多くなるほど、貫通孔の内周面と伝熱管の外周面との接触面積が小さくなるが、前記構成によれば、切欠部が最小数とされているため、前記接触面積を大きくし、側板部に対する伝熱管の取付け状態をより安定したものとすることが可能である。
【００１７】
本発明において、好ましくは、前記切欠部は、ロウ材の加熱溶融時において、前記切欠部の内側に溶融ロウ材の一部を隙間なく満たすことが可能なサイズである。
【００１８】
このような構成によれば、ロウ付け工程を終えた段階において、切欠部の内側にロウ材が存在しない空隙部が発生しないようにし、空隙部に起因する接合強度の低下を招かないようにすることが可能である。
【００１９】
本発明において、好ましくは、前記熱交換器中間品は、前記貫通孔、前記伝熱管、および前記切欠部として、複数の貫通孔、複数の伝熱管、および複数の切欠部を備えており、前記複数の貫通孔のそれぞれにおける前記複数の切欠部の個々の配置は、同一の配置に揃えられており、前記ロウ付け工程において、前記ロウ材を加熱溶融させるときには、前記複数の切欠部を前記複数の伝熱管の上側に位置する状態に設定しておく。
【００２０】
このような構成によれば、側板部に設けられた複数の貫通孔の周縁部に複数の伝熱管をロウ付けする作業を適切に、かつ効率よく行なうことができる。ロウ材は、各伝熱管の外周面の略全周にわたって廻り込ませることが可能である。
【００２１】
本発明において、好ましくは、前記側板部および前記伝熱管は、ともにフェライト系ステンレス製である。
【００２２】
このような構成によれば、次のような効果が得られる。
すなわち、側板部および伝熱管が、ともにフェライト系ステンレス製である場合には、材質の特性により、および線膨張係数が同一であることにより、本来的に、ロウ付け性が劣るものとなる。これに対し、本発明によれば、既述したように、側板部の外面側領域および内面側領域の双方において、伝熱管をロウ付けすることができるため、そのロウ付け強度を十分に高くすることが可能である。
【００２３】
本発明において、好ましくは、前記伝熱管の外径は、６〜２０ｍｍ、前記側板部の厚みは、０．５〜１．０ｍｍ、前記貫通孔の内径は、前記伝熱管の外径と同一寸法であり、前記切欠部の高さは、０．１８〜０．７０ｍｍ、前記切欠部の幅は、１．００〜１．７０ｍｍである。
【００２４】
このような構成によれば、後述する実施形態の試験データから理解されるように、切欠部内に空隙部などを生じさせることなく、側板部の外面側領域および内面側領域の双方において伝熱管を適切にロウ付けすることができる。
【００２５】
本発明の第２の側面により提供される熱交換器中間品は、側板部を含むケースと、このケース内に収容され、かつ前記側板部に設けられた貫通孔に挿通されて一部が前記側板部の外方に引き出されている伝熱管と、を備えている、熱交換器中間品であって、前記貫通孔に連通する凹状に形成されて前記側板部に貫通して設けられており、かつ前記伝熱管の外周面を前記貫通孔の周縁部にロウ付けするときに、溶融ロウ材の一部を前記側板部の外面側領域および内面側領域の一方から他方に向けて流れさせるための切欠部を、さらに備えていることを特徴としている。
【００２６】
このような構成の熱交換器中間品は、本発明の前記した熱交換器の製造方法の実施に適切に用いることが可能であり、前記した熱交換器の製造方法について述べたのと同様な効果が得られる。
【００２７】
本発明の第３の側面により提供される熱交換器は、側板部を含むケースと、このケース内に収容され、かつ前記側板部に設けられた貫通孔に挿通されて一部が前記側板部の外方に引き出されている伝熱管と、この伝熱管の外周面を前記貫通孔の周縁部にロウ付けしている固化状態のロウ材と、を備えている、熱交換器であって、前記貫通孔に連通する凹状に形成されて前記側板部に貫通して設けられた切欠部を、さらに備えており、前記ロウ材は、その一部が前記切欠部内に進入しており、かつこの進入部分を介して前記側板部の外面側領域および内面側領域の双方に跨がった分布に設けられていることを特徴としている。
【００２８】
このような構成の熱交換器は、本発明の前記した熱交換器の製造方法によって製造することができ、伝熱管のロウ付け強度を高くするなど、前記した熱交換器の製造方法について述べたのと同様な効果が得られる。
【００２９】
本発明において、好ましくは、前記固化状態のロウ材により前記切欠部は塞がっている。
【００３０】
このような構成によれば、切欠部の形成箇所においてロウ付け強度が低下しないようにし、ロウ付け強度を優れたものとする上で、より好ましいものとなる。
【００３１】
本発明のその他の特徴および利点は、添付図面を参照して以下に行なう発明の実施の形態の説明から、より明らかになるであろう。
【図面の簡単な説明】
【００３２】
【図１】本発明が適用された熱交換器の一例を示し、（ａ）は、その平面断面図であり、（ｂ）は、（ａ）のIb−Ib断面図であり、（ｃ）は、右側面図である。
【図２】（ａ）は、図１（ｂ）のIIa部の拡大断面図であり、（ｂ）は、（ａ）のIIb−IIb断面図であり、（ｃ）は、（ａ）の矢視IIcの要部側面図であり、（ｄ）は、（ａ）のIId−IId断面図である。
【図３】図１に示す熱交換器を製造するための熱交換器中間品の一例を示し、（ａ）は、その平面断面図であり、（ｂ）は、（ａ）のIIIb−IIIb断面図であり、（ｃ）は、右側面図である。
【図４】（ａ）は、図３（ｂ）のIVa部の拡大断面図であり、（ｂ）は、（ａ）のIVb−IVb断面図である。
【図５】図４に示す側板部に設けられた貫通孔および切欠部を示す要部断面図である。
【図６】（ａ），（ｂ）は、図３に示す熱交換器中間品の側板部に伝熱管をロウ付けする工程を示す要部拡大断面図である。
【図７】切欠部のサイズとロウ付けの良否との関係を示す試験データの説明図である。
【図８】本発明の他の例を示す要部断面図である。
【発明を実施するための形態】
【００３３】
以下、本発明の好ましい実施の形態について、図面を参照して具体的に説明する。
【００３４】
図１に示す熱交換器Ａは、たとえば給湯装置の構成要素として用いられるものであり、後述する熱交換器中間品Ａａにロウ付け処理を施すなどして構成されたものである。この熱交換器Ａは、ケース１、ケース１内に収容された複数の伝熱管２、一対のヘッダ部材１４、および各伝熱管２をケース１の後述する側板部１１にロウ付けするための固化状態のロウ材３（図２を参照）を備えている。ここで、固化状態のロウ材３とは、ロウ付けのための加熱溶融処理を経た後に固化したロウ材である。
【００３５】
熱交換器Ａは、たとえば不図示のバーナによって発生された燃焼ガスから潜熱を回収するための熱交換器として構成されており、潜熱回収に伴って発生する強酸性の凝縮水に対する耐腐食性をもたせるべく、ケース１、伝熱管２、およびヘッダ部材１４は、フェライト系ステンレス製とされている。
【００３６】
熱交換器Ａは、ロウ材３を利用したロウ付けに関連する構成以外については、その基本的な構成は、従来既知のものと同様であり、この点については簡単に説明する。
すなわち、ケース１は、左右両端が開口した筒状のケース本体部１０と、このケース本体部１０の両端の開口部を塞ぐようにケース本体部１０に接合される一対の側板部１１，１１ａとを備えている。ケース本体部１０には、燃焼ガス用の給気口１０ａおよび排気口１０ｂが設けられている。給気口１０ａからケース本体部１０内に流入した燃焼ガスは、各伝熱管２に作用した後に排気口１０ｂを通過して外部に排気される。各伝熱管２は、たとえば蛇行状伝熱管であり、上下高さ方向に適当な配列ピッチで積層したかたちでケース１内に収容されている。ただし、複数の伝熱管２のそれぞれの一端部は、側板部１１に設けられた複数の貫通孔１２に挿通し、側板部１１の外方に引き出されている。一対のヘッダ部材１４は、側板部１１に接合されており、一方のヘッダ部材１４は、入水用ヘッダ部を構成し、入水口１４ａに供給されてきた湯水を複数の伝熱管２内に流れ込ませる。他方のヘッダ部材１４は、出湯用ヘッダ部を構成し、複数の伝熱管２を通過してきた湯水を出湯口１４ｂから外部に出湯させる。
【００３７】
図２によく表われているように、側板部１１には、各貫通孔１２に対応して切欠部１３が設けられている。この切欠部１３は、各貫通孔１２に連通する凹状（貫通孔１２の内周壁からその半径方向外方に向けて凹んだ形状）であり、各貫通孔１２と同様に、側板部１１を貫通した状態に設けられている。図５は、伝熱管２が挿通されていない状態での貫通孔１２および切欠部１３の形状の一例を示しているが、好ましくは、同図に示すように、切欠部１３の内壁面は円弧状とされ、できる限り滑らかな形状とされている。また、切欠部１３は、貫通孔１２および伝熱管２の上側に位置している。
【００３８】
ロウ材３は、たとえばニッケルロウであり、伝熱管２の外周面を、側板部１１の貫通孔１２の周縁部に接合するものであるが、その一部は切欠部１３に進入しており、この切欠部１３への進入部分を介して側板部１１の外面側領域Ｓａおよび内面側領域Ｓｂの双方に跨がった分布となっている。このロウ材３は、外面側領域Ｓａおよび内面側領域Ｓｂの双
方において、伝熱管２の外周面の全周に沿って設けられており、伝熱管２の外周面の全周と貫通孔１２の周縁部の全周とを接合している。好ましくは、切欠部１３の内側には、空隙部が存在しないようにロウ材３が詰まった状態とされている。
【００３９】
前記した熱交換器Ａは、図３に示す熱交換器中間品Ａａから製造される。
この熱交換器中間品Ａａは、図１および図２を参照して説明した熱交換器Ａと比較すると、各部のロウ付けが図られていない点が相違している。より具体的には、図４に示すように、側板部１１には、貫通孔１２に連通した切欠部１３が設けられているが、側板部１１への伝熱管２のロウ付けは未だ図られていない。また、図３において、ケース本体部１０への側板部１１，１１ａのロウ付けも未だ図られていない。一対のヘッダ部材１４については、側板部１１に仮固定しておくことにより、側板部１１へのロウ付けを他の部分のロウ付けと同時に行なうことは可能であるが、他の部分のロウ付けを終えた後に、側板部１１に溶接することも可能である。
【００４０】
伝熱管２は、貫通孔１２に挿通された後において、その挿通部分およびその近辺に拡管処理が施されている。このことにより、伝熱管２の外周面は、貫通孔１２の内周面に圧接した状態とされる。切欠部１３は、前記拡管処理によっては閉塞されず、開口状態のままである。
熱交換器中間品Ａａは、前記した構成以外については、熱交換器Ａと同様な構成である。したがって、その説明は省略する。
【００４１】
次いで、熱交換器Ａの製造方法の一例について説明する。
【００４２】
まず、図３に示した熱交換器中間品Ａａを製作して準備した後には、図６（ａ）に示すように、側板部１１の外面側領域Ｓａのうち、各伝熱管２の上側の切欠部１３が形成されている箇所に、ペースト状のロウ材３’を塗布する。
【００４３】
次いで、熱交換器中間品Ａａをロウ付け用の加熱炉内に搬入して加熱し、ロウ材３を溶融させる。その際、熱交換器中間品Ａａの姿勢は、複数の切欠部１３およびロウ材３’が、複数の伝熱管２のそれぞれの上側に位置する姿勢に設定しておく。このことにより、図６（ｂ）に示すように、溶融ロウ材３”の一部は、矢印Ｎａで示すように、側板部１１の外面側領域Ｓａにおいて、伝熱管２の外周面に沿って下向きに流れていく。また、溶融ロウ材３”の他の一部は、矢印Ｎｂで示すように、切欠部１３内に進入してから、側板部１１の内面側領域Ｓｂに流れ、その後はこの内面側領域Ｓｂにおいて伝熱管２の外周面に沿って下向きに流れていく。側板部１１のには、複数の切欠部１３が設けられているが、これらをいずれも伝熱管２の上側に位置するように設定しておくことにより、側板部１１に対する複数の伝熱管２のロウ付けを同時に行なうことが可能である。
【００４４】
好ましくは、切欠部１３は、溶融ロウ材３”がこの切欠部１３内に進入した際に、溶融ロウ材３”がその表面張力により、切欠部１３の内壁面およびこれに対向する伝熱管２の外周面に隙間を生じることなく接触した状態のまま、外面側領域Ｓａから内面側領域Ｓｂに向けて流れるサイズとされる。このことにより、溶融ロウ材３”が固化した際に、切欠部１３内に空隙部を生じないようにすることが可能である。
【００４５】
前記した溶融ロウ材３”の流れが生じることにより、その後この溶融ロウ材３”が固化した状態においては、図２に示したように、側板部１１の外面側領域Ｓａおよび内面側領域Ｓｂの双方において、伝熱管２の外周面の全周が貫通孔１２の周縁部の全周にロウ付けされた状態となり、前記した熱交換器Ａを製造することができる。
【００４６】
前記した熱交換器Ａによれば、貫通孔１２の周縁部への伝熱管２のロウ付け強度を高め
ることができる。伝熱管２および側板部１１は、ともにフェライト系ステンレスであるため、その材質的な特性により、本来的には、ロウ付け性は良好ではない。また、伝熱管２および側板部１１の線膨張係数は同一であるため、ロウ付け時に伝熱管２と側板部１１との熱膨張の差に基づいて、伝熱管２の外周面と貫通孔１２の内周面との間に、溶融ロウ材３”が通過する隙間を生じさせることも困難である。これに対し、本実施形態によれば、切欠部１３を利用して、側板部１１の外面側領域Ｓａおよび内面側領域Ｓｂの双方において伝熱管２と側板部１１とを広面積でロウ付けすることができるため、十分なロウ付け強度を確保することが可能である。
【００４７】
本件発明者は、前記した熱交換器Ａの製造方法において、切欠部１３のサイズを種々に変更し、ロウ付け状態を確認する試験を行なった。その一例を、図７に示す。
同図に示す切欠部の高さ、および切欠部の幅は、図５に示す切欠部１３の高さＨ、および幅Ｌにそれぞれ相当する。切欠部１３の形状は、図５に示すような滑らかな形状とした。図７に示す試験は、伝熱管２の外径が８．０ｍｍ、厚みが０．３ｍｍ、側板部１１の厚みが０．５ｍｍである。
この試験では、切欠部１３の高さが０．１８〜０．７０ｍｍ、切欠部１３の幅が１．００〜１．７０ｍｍの範囲の場合に、良好なロウ付けがなされる結果が得られた。切欠部１３の高さおよび幅が、前記の範囲よりも小さい場合には、側板部１１の内面側領域Ｓｂにロウ材３が設けられず、またはロウ材３が不足状態となる。これとは反対に、切欠部１３の高さおよび幅が、前記の範囲よりも大きい場合には、切欠部１３内に空隙部が発生した。
【００４８】
前記した試験以外にも、伝熱管２や側板部１１のサイズを変更した試験を行なったが、これらの試験によれば、伝熱管２の外径が６〜２０ｍｍ、側板部１１の厚みが、０．５〜１．０ｍｍ、貫通孔１２の内径が伝熱管２の外径と同一寸法である場合において、切欠部１３の高さを、０．１８〜０．７０ｍｍ、切欠部１３の幅を、１．００〜１．７０ｍｍとすれば、好ましい結果が得られる旨が判明した。
ただし、本発明は、前記した範囲に限定されない。
【００４９】
図８は、本発明の他の実施形態を示している。
同図においては、伝熱管２の上側に位置する切欠部１３に加え、これよりも低い位置であって、伝熱管２の最下部よりも高い位置に追加の切欠部１３ａをさらに設けている。
このような構成によれば、切欠部１３の形成箇所に設けられたペースト状のロウ材３’が溶融した際に、このロウ材３’が伝熱管２の最下部まで到達しなくても、追加の切欠部１３ａの形成箇所に設けられたペースト状のロウ材３’が溶融することによって、これを伝熱管２の最下部まで到達させることができる。したがって、伝熱管２の外周面の全周にロウ材３（３’，３”）を廻り込ませることが確実化される。
本実施形態から理解されるように、切欠部１３は、複数箇所設けた構成とすることもできる。
【００５０】
本発明は、上述した実施形態の内容に限定されない。本発明に係る熱交換器の製造方法の各工程の具体的な構成は、本発明の意図する範囲内において種々に変更自在である。本発明に係る熱交換器中間品、および熱交換器の各部の具体的な構成も、本発明の意図する範囲内において種々に設計変更自在である。
【００５１】
ケースや伝熱管の材質は、フェライト系ステンレスに限定されず、他の材質（たとえば、オーステナイト系ステンレス、銅など）とすることもできる。また、ケースと伝熱管との材質を相違させることも可能である。本発明の熱交換器の製造方法は、側板部の線膨張係数が伝熱管の線膨張係数以下である場合にも好適であるが、これに限定されない。伝熱管は、蛇行状に限定されず、たとえば螺旋状や直管状とすることもできる。ケースは、伝
熱管を内部に収容するものであればよく、その形状なども限定されない。
切欠部は、図５に示したように、できる限り滑らかな形状とすることが好ましいが、その具体的な形状も限定されない。切欠部の具体的なサイズや数などを種々に変更し得ることは、既に述べたとおりである。ロウ材の具体的な材質、種類も限定されない。
【符号の説明】
【００５２】
Ａ  熱交換器
Ａａ  熱交換器中間品
１  ケース
１１  側板部
１２  貫通孔
１３  切欠部
２  伝熱管
３  ロウ材（固化状態の）
３’  ロウ材（ペースト状の）
３”  ロウ材（溶融ロウ材）
【図１】
2019116985.tif 000003
【図２】
2019116985.tif 000004
【図３】
2019116985.tif 000005
【図４】
2019116985.tif 000006
【図５】
2019116985.tif 000007
【図６】
2019116985.tif 000008
【図７】
2019116985.tif 000009
【図８】
2019116985.tif 000010